(57)【要約】【解決手段】水生植物その他の植物を植栽し得るフロート５を有している。網場のロープ１ａ，１ｂと網体２を前後から抱き合わせ得るように、フロート５を縦２分割構造とする。縦２分割構造のフロート５ａ，５ｂに、植生基盤材を収容し得る凹部８ｃを設ける。【効果】網場と浮島とを一体に構成することができる。フロート５が縦２分割構造であるから、網場と浮島の組立・分解が容易になる。フロート５ａ，５ｂの凹部８ｃに植生基盤材をすっぽりと収容することができる。植生基盤材を安定して保持できる。植生基盤材の周囲がフロート５ａ，５ｂで保護されて破損しにくい。【選択図】図１
2008038337.tif 000002
【特許請求の範囲】
【請求項１】
水生植物その他の植物を植栽し得るようにしたフロートを有することを特徴とする浮島式網場。
【請求項２】
内部が発泡材からなり、その外面を合成樹脂で被覆したフロートからなることを特徴とする請求項１記載の浮島式網場。
【請求項３】
網場の主ロープと網を前後から抱き合わせ得るように、フロートを縦２分割構造としたことを特徴とする請求項１又は２記載の浮島式網場。
【請求項４】
フロートに、植生基盤材を収容し得る凹部を設けたことを特徴とする請求項１〜３のいずれかに記載の浮島式網場。
【発明の詳細な説明】
【技術分野】
【０００１】
本発明は、網場のフロートに浮島の機能を兼ね備えさせた網場に関するものである。
【背景技術】
【０００２】
ダム、湖沼、河川等において流木、塵芥をせき止めて回収するとともに、景観を損なうことなく、水質の浄化、水面の緑化を行うために、従来から網場が使用されている。  この網場をダム、湖沼、河川等に設置することにより、野鳥の保護のための休息地又は魚類、昆虫類の水中生物繁殖のための産卵場所を提供することができ、その結果、自然環境保護を図ることができる。
【０００３】
従来、植生浮島は流木、塵芥に埋まることを避け、また、景観造成の観点から、人目に触れる所に設置して来たのに対して、流木、塵芥をせき止めて回収する網場は、流木、塵芥が景観を損なうので、人目に触れにくい上流その他の場所に設置して来た。そして、このような網場として、例えば、特許文献１のような技術が提案されている。
【０００４】
【特許文献１】特開平１０−１１０４２４号公報（第２〜３頁、図３、図５）
【発明の開示】
【発明が解決しようとする課題】
【０００５】
従来、植生浮島、網場をそれぞれ別個に設置して来たため、その設置場所に制約があるだけでなく、設置費用が嵩むことが問題となっていた。また、限られた施設で大きい効果を得ることが求められている。
一方、網場は風で飛来する塵芥を止める機能を果たすことが必要であるが、そのためには主ロープを通常水面上０．５ｍ位の高さに配置する必要がある。
また、上記特許文献１には、植生浮島に網場のロープを配置する一例が開示されているが、この技術によれば、主ロープの高さを水面上０．５ｍ位の高さに配置するためには、植生浮島の寸法を大きくする必要がある。
【０００６】
本発明者等は、網場のフロートに浮島の機能を兼ね備えさせることにより、上述した欠点を解決できることを見出した。
【課題を解決するための手段】
【０００７】
すなわち、本発明では、水生植物その他の植物を植栽し得るようにしたフロートを有するものとした。このようにすると、網場と浮島とを一体に構成することができ、係留設備を共用することにより、設置費用並びに維持経費を大幅に削減することができる。特に、水位の変動が大きく、水深の深いダムでは、設置費用における係留設備の割合が大きいため、より効果的である。また、網場のフロートに浮島の機能を兼ね備えさせることができ、このフロートに水生植物その他の植物を植栽することができるのみならず、植生浮島の周囲をフロートがカバーしているので、植生浮島が塵芥中に埋没するおそれがない。さらに、堆積した流木、塵芥を植物が繁茂した植生浮島によって視界から遮ることができるので、景観が向上する。
【０００８】
内部が発泡材からなり、その外面を合成樹脂で被覆したフロートからなるものとすることが望ましい。この場合には、フロートをできるだけ軽くすることができるのみならず、流木でフロートが損傷するのを防止できる。
【０００９】
網場の主ロープと網を前後から抱き合わせ得るように、フロートを縦２分割構造としておくとよい。フロートを縦２分割構造としておくと、網場と浮島の組立・分解が容易になる。
【００１０】
フロートに、植生基盤材を収容し得る凹部を設けておくことが望ましい。この場合には、フロートの凹部に植生基盤材をすっぽりと収容することができるので、植生基盤材を安定して保持できるのみならず、植生基盤材の周囲がフロートで保護されて破損しにくい。
【発明の効果】
【００１１】
請求項１記載の発明によれば、以下に述べるような効果がある。
(1) 網場と浮島とを一体に構成することができ、係留設備を共用することにより、設置費用並びに維持経費を大幅に削減することができる。特に、水位の変動が大きく、水深の深いダムでは、設置費用における係留設備の割合が大きいため、より効果的である。
(2) 網場のフロートに浮島の機能を兼ね備えさせることができ、このフロートに水生植物その他の植物を植栽することができるのみならず、植生浮島の周囲をフロートがカバーしているので、植生浮島が塵芥中に埋没するおそれがない。
(3) 堆積した流木、塵芥を植物が繁茂した植生浮島によって視界から遮ることができるので、景観が向上する。
【００１２】
請求項２記載の発明によれば、フロートをできるだけ軽くすることができるのみならず、流木でフロートが損傷するのを防止できる。
【００１３】
請求項３記載の発明によれば、網場と浮島の組立・分解が容易になる。
【００１４】
請求項４記載の発明によれば、フロートの凹部に植生基盤材をすっぽりと収容することができるので、植生基盤材を安定して保持できるのみならず、植生基盤材の周囲がフロートで保護されて破損しにくい。
【発明を実施するための最良の形態】
【００１５】
本発明の好ましい実施の形態を、図面に基づいて詳細に説明する。図１に、本発明による浮島式網場の設置状態の一例を示す。そのうち、図１(a)は正面図、図１(b)はその側面図である。この浮島式網場は、網場のフロートに浮島の機能を兼ね備えさせたところに特徴がある。
【００１６】
ダム、湖沼、河川等設置場所の両岸に張り渡した上下２本のロープ１ａ，１ｂ間に網２ａを張り、また、下側のロープ１ｂから網２ｂを垂下させる。そして、上側のロープ１ａと上側の網２ａの上端とを結束ロープ３ａで、また、上側の網２ａの下端と下側のロープ２ｂと下側の網２ｂの上端とを結束ロープ３ｂで結束する。なお、下側の網２ｂの下端部には、沈錘４（本例では、チェン）が取り付けられている。
【００１７】
上側のロープ１ａは水面Ｗ.Ｌより上に支持し、このロープ１ａと下側のロープ２ｂとを利用して上下２枚の網２ａ，２ｂからなる網体２にフロート５を取り付ける。フロート５の内部を発泡ウレタンその他の発泡材とすることができ、その外面をウレタン樹脂その他の合成樹脂で被覆しておくとよい。このようにすると、フロート５をできるだけ軽くすることができるのみならず、流木でフロート５が損傷するのを防止できる。フロート５はＦＲＰで作製してもよい。
【００１８】
また、上側のロープ１ａと下側のロープ２ｂとを利用して網体２にフロート５を取り付けるに当って、ここでは、網場のロープ１ａ，１ｂと網体２とを前後から抱き合わせ得るように、フロート５を縦２分割構造としてある。すなわち、図３の左側と右側とに示すように、左右対称形である縦２分割構造のフロート５ａ，５ｂの接合面に、上側のロープ１ａと下側のロープ２ｂを縦２分割した場合の半分を嵌め込むことのできる大きさの溝６ａ，６ｂ、７ａ，７ｂがフロート５ａ，５ｂの幅方向に形成してある。
【００１９】
したがって、これら縦２分割構造のフロート５ａ，５ｂを１枚の網体２の表側と裏側から抱き合わせると、１枚の網体２を挟んで表側と裏側から縦２分割構造のフロート５ａ，５ｂを一体的ならしめることができる。このとき、図１(b)に示すように、上下２本のロープ１ａ，１ｂは上下の溝６ａ，６ｂ、７ａ，７ｂ内に納まる。縦２分割構造のフロート５ａ，５ｂを一体的ならしめるに当っては、例えば、フロート５ａ，５ｂを表側から裏側に貫通するボルトとこれに螺合させ得るナットからなる固定具（図２(b)において、符号５ｃで略記する）を挙げることができるが、この固定具のみに限定されるものではなく、ロープその他の緊締具を用いて縦２分割構造のフロート５ａ，５ｂを一体的ならしめてもよい。
【００２０】
フロート５ａ，５ｂを縦２分割構造としておくと、網場と浮島の組立・分解が容易になる。そして、縦２分割構造のフロート５ａ，５ｂは、いずれも、水生植物その他の植物を植栽し得るようになっている。例えば、図２に示すように、フロート５に平面Ｕ字状の枠体８を形成し、その裏面（下面）にフロート５ａ，５ｂの幅方向の端から端に達する受桟８ａと、この受桟８ａと一体的であって平面Ｕ字状の枠体８の手前側に達する左右２本の受桟８ｂ，８ｂを取り付ければ、その枠内の凹部８ｃに植生基盤材９を収容することができる。また、図４に示すように、平面Ｕ字状の枠体８の枠内を有底とし、それに複数個の凹窩８ｄ，８ｄを形成すれば、凹部８ｃの各凹窩８ｄ，８ｄに水生植物の苗を植え込むことができる。したがって、図２に示す場合においても図４に示す場合においても、フロート５ａ，５ｂに水生植物その他の植物を植栽することができる。なお、例えば、平面Ｕ字状の枠体８の裏面（下面）から貫通して上面に達するように取り付けられるボルト８ｅとナット８ｆとにより、受桟８ａ，８ｂを枠体８の裏面（下面）に取り付けることができる。
【００２１】
植生基盤材９は、例えば、図５(a)、(b)に示すように、フロート５ａ，５ｂの枠内の凹部８ｃに収容させ得る大きさを有する網目板９ａ上の中央に、マット状の植物繊維（例えば、ヤシ殻繊維）を載置するとともに、その周囲を立体網状マット９ｃで囲み、それらの上面と四周を１枚のネット９ｄで覆ったものである。
網目板９ａは例えば硬質樹脂成型品とすることができる。また、立体網状マット９ｃは例えばポリエチレン製とすることができる。このような植生基盤材９にも、水生植物の苗を植え込むことができる。なお、植生基盤材９の全体の高さは、１０〜１５ｃｍ程度である。
【００２２】
フロート５の平面Ｕ字状の枠体８内の凹部８ｃに、この植生基盤材９をすっぽりと収容することができる。したがって、植生基盤材９を安定して保持できるのみならず、植生基盤材９の周囲がフロート５で保護されて破損しにくい。なお、図２(a)においては、枠体８内の凹部８ｃに収容されている植生基盤材９を、斜線で略記してある。
【００２３】
かくして、上下２枚の網２ａ，２ｂからなる網体２により網場を構成することができる。また、この１枚の網体２を挟んで表側と裏側から縦２分割構造のフロート５ａ，５ｂを抱き合わせ、両フロート５ａ，５ｂに備えられている枠体８内の凹部８ｃに植生基盤材９を収容し、この植生基盤材９に水生植物の苗を植え込めば、あるいは、平面Ｕ字状の枠体８の枠内の底部分に形成されている複数個の凹窩８ｂ，８ｂに水生植物の苗を植え込めば、浮島を構成することができる。
【００２４】
このように、網場のフロートに浮島の機能を兼ね備えさせることにより、網場と浮島とを一体に構成することができる。そして、網場と浮島の係留設備を共用すれば、設置費用並びに維持経費を大幅に削減することができる。特に、水位の変動が大きく、水深の深いダムでは、設置費用における係留設備の割合が大きいため、より効果的である。また、網場のフロートに浮島の機能を兼ね備えさせることができ、このフロートに水生植物その他の植物を植栽することができるのみならず、植生浮島の周囲をフロートがカバーしているので、植生浮島が塵芥中に埋没するおそれがない。さらに、堆積した流木、塵芥を植物が繁茂した植生浮島によって視界から遮ることができるので、景観が向上する。
【産業上の利用可能性】
【００２５】
ここでは、ダム、湖沼、河川等に直接設置して流木、塵芥をせき止めるのに適用した場合を例示したが、ダム、堰その他の水門設備、取水設備やその付帯設備の流木止め、塵芥止めに適用することもできる。
【図面の簡単な説明】
【００２６】
【図１】本発明による浮島式網場の設置状態の一例を示すもので、(a)は正面図、(b)はその側面図である。
【図２】縦２分割構造のフロートの一方を示す概略図で、(a)は平面図、(b)はその正面図である。
【図３】縦２分割構造のフロートを分離した状態で示す側面図である。
【図４】縦２分割構造のフロートの凹部に、水生植物その他の植物を植栽することができる別の一例を示す平面図で、フロートの一方のみを示す。
【図５】フロートの凹部に収容させ得る植生基盤材の一例を示すもので、(a)は平面図、(b)はその正面図である。
【符号の説明】
【００２７】
1a，1b…ロープ、２…網体、2a，2b…網、3a，3b…結束ロープ、５…フロート、５ａ…表側のフロート、５ｂ…裏側のフロート、５ｃ…固定具、６ａ，６ｂ、７ａ，７ｂ…溝、８…枠体、８ａ，８ｂ…受桟、８ｃ…凹部、８ｄ…凹窩、９…植生基盤材、９ａ…網目板、９ｂ…マット状の植物繊維、９ｃ…立体網状マット、９ｄ…ネット。
【図１】
2008038337.tif 000003
【図２】
2008038337.tif 000004
【図３】
2008038337.tif 000005
【図４】
2008038337.tif 000006
【図５】
2008038337.tif 000007